(57)【要約】【課題】DCFレーザのコア内においてレーザ媒質が励起される際に自然放出されるノイズ光を除去して高品質のレーザ光を出力する。DCFレーザに光結合される信号レーザ光出力用のファイバーレーザから信号レーザ光が第１クラッドに漏出すのを少なくしてノイズ発生を低減する。短い長さのDCFレーザを使用して所望の増幅利得を得ることができると共にノイズ光の発生を低減して高品質なレーザ光を出力する。【解決手段】DCFにおける第１クラッドの適宜箇所に、励起レーザ光のみを透過すると共に励起レーザ光以外の波長のノイズ光を第２クラッドに対する臨界角以上の角度で反射する反射フィルター手段を設ける。【選択図】        図２
2007281162.tif 000002
【特許請求の範囲】
【請求項１】
レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーと、
該ダブルクラッドファイバーの入射端に光結合され、第１クラッドに所要波長の励起レーザ光を出力する励起光出力手段と、
ダブルクラッドファイバーの入射側コアに形成され、励起光により励起されたレーザ媒質から誘導放出された特定波長の出力レーザ光を反射する第１反射手段及び出力側コアに形成され、レーザ媒質から励起されて増幅されたレーザ光を半透過する第２反射手段と、
ダブルクラッドファイバーにおける第１クラッドの適宜箇所に形成され、励起レーザ光のみを透過すると共に励起レーザ光以外の波長のノイズ光を第２クラッド側に対する臨界角以上の角度で反射する反射フィルター手段と、
を設けたレーザ光出力装置。
【請求項２】
レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーと、
該ダブルクラッドファイバーの入射端に光結合され、第１クラッドに所要波長の励起レーザ光を出力する励起光出力手段と、
ダブルクラッドファイバーの入射側コアに形成され、励起レーザ光により励起されたレーザ媒質から誘導放出されて増幅された特定波長の出力レーザ光を反射する第１反射手段及び出力側コアに形成され、出力レーザ光を半透過する第２反射手段と、
ダブルクラッドファイバーにおける第１クラッドの入射側及び出力側にそれぞれ光結合され、ダブルクラッドファイバーの第１クラッド内を伝播する励起レーザ光を循環伝播させる循環用光ファイバーと、
を設けたレーザ光出力装置。
【請求項３】
レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバー、該ダブルクラッドファイバーの入射端に光結合され、第１クラッドに所要波長の励起レーザ光を出力する励起光出力手段、ダブルクラッドファイバーの入射側コアに形成され、励起レーザ光により励起されたレーザ媒質から誘導放出される特定波長の出力レーザ光を反射する第１反射手段及び出力側コアに形成され、出力レーザ光を半透過する第２反射手段、ダブルクラッドファイバーにおける第１クラッドの適宜箇所に形成され、励起レーザ光のみを透過すると共に励起レーザ光以外の波長のノイズ光を第２クラッドに対する臨界角以上の角度で反射する反射フィルター手段からなるレーザ光増幅手段と、
ダブルクラッドファイバーの入射端に光結合され、ダブルクラッドファイバーのコア開口数より小さい開口数からなるコアを有したシングルクラッドファイバー、シングルクラッドファイバーの入射端に光結合されてコアに信号励起用レーザ光を出力するレーザ光発振部材からなる信号光発振手段と、
ダブルクラッドファイバーにおける第１クラッドの入射側及び出力側にそれぞれ光結合され、ダブルクラッドファイバーの第１クラッド内を伝播する励起レーザ光を循環伝播させる循環用光ファイバーと、
を備えたレーザ光出力装置。
【請求項４】
請求項２又は３において、ダブルクラッドファイバーの第１クラッド及び循環用光ファイバーのコアの少なくともいずれかには、励起レーザ光のみを透過すると共に励起レーザ光以外の波長のノイズ光を臨界角以上の角度で反射する反射フィルター手段を設けたレーザ光出力装置。
【請求項５】
請求項１乃至４における第１乃至第４反射手段と反射フィルター手段は、紫外光により屈折率変化分布を形成したFBG（Fiber Bragg Grating）としたレーザ光出力装置。
【請求項６】
レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーの第１クラッド内を反射しながら伝播する励起レーザ光によりレーザ媒質を励起して誘導放出される出力レーザ光を出力するダブルクラッドファイバーレーザからなるレーザ光出力装置において、ダブルクラッドファイバーの第１クラッドに設けられた反射フィルターにより励起レーザ光のみを透過して他の波長のノイズ光を第２クラッドに対する臨界角以上の角度で反射して除去するノイズ光除去方法。
【請求項７】
レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーの第１クラッド内を反射しながら伝播する励起レーザ光によりレーザ媒質を励起して誘導放出される出力レーザ光を出力するダブルクラッドファイバーレーザからなるレーザ光出力装置において、ダブルクラッドファイバーの励起レーザ光の入射側及び出力レーザ光の出力側にそれぞれ光結合された循環光ファイバーにより第１クラッドに入射された励起レーザ光を循環伝播させると共にダブルクラッドファイバーの第１クラッド及び循環光ファイバーのコアの少なくともいずれかに設けられた反射フィルターにより励起レーザ光のみを透過して他の波長のノイズ光をクラッドに対する臨界角以上の角度で反射して除去するノイズ光除去方法。
【請求項８】
請求項７において、ダブルクラッドファイバーのコア開口数より小さい開口数からなるコアを有したシングルクラッドファイバー、シングルクラッドファイバーの入射端に光結合されてコアに信号励起用レーザ光を出力するレーザ光発振部材からなる信号レーザ光発振手段を設け、該信号レーザ光発振手段から出力される信号レーザ光の出力タイミンクで出力レーザ光を出力するレーザ光出力装置のノイズ光除去方法。
【発明の詳細な説明】
【技術分野】
【０００１】
本発明は、ダブルクラッドファイバーレーザを使用したレーザ光出力装置及びノイズ光除去方法に関する。
【背景技術】
【０００２】
例えばEr、Yb、Nd、Bi、Pr等の希土類のレーザ媒体（増幅媒体）がドープされたコアの外周に、該コアより光屈折率が低いグラッドをポンピングガイドとして被覆したシングルクラッドファイバーのコアに励起レーザ光を出力し、該コア中にて反射しながら伝播する励起光によりレーザ媒体を高準位に励起してレーザ光を増幅発振するファイバーレーザが知られている。このファイバーレーザにあっては、コア自体が微小径であるため、コア端面に対する励起レーザ光の入射光率が悪く、低出力のレーザ光しか発振できない問題を有している。
【０００３】
これを解決するため、例えば特許文献１に示すように、上記と同様にレーザ媒体がドープされたコアの外周に、該コアより光屈折率が低い第１クラッドを、また第１クラッドの外周に、該第１クラッドより光屈折率が低い第２クラッドをそれぞれ被覆したダブルクラッドファイバー（以下、DCFと称する。）を使用したDCFレーザが提案されている。
【０００４】
DCFレーザにあっては、コアより大径の第１クラッドの端面に励起レーザ光を効率的に出力して伝播させることによりコア内を通過させることによりレーザ媒体を高準位に励起してレーザ光を増幅発振させることができる。
【０００５】
このDCFレーザは、シングルクラッドファイバーレーザに較べて、励起レーザ光を効率的に入射して高出力のレーザ光を増幅発振することができ、装置自体を小型化することができると共に発熱量を少なくすることができる特徴を有している。
【０００６】
しかし、DCFレーザにあっては、コア内のレーザ媒体が励起される際に、レーザ光と共にノイズ光も自然放出されるため、パルス幅が広がって高品質の出力レーザ光を出力することができない問題を有している。
【０００７】
また、DCFレーザの入射側には、第１クラッドに励起レーザ光を出力する励起光出力手段と共にコアに所要のパルス幅で、DCFレーザからの出力レーザ光と一致する波長の信号レーザ光をDCFのコアに出力する信号レーザ発振用のファイバーレーザが接続されている。この信号レーザ発振用のファイバーレーザの開口数が、DCFレーザの開口数より大きい場合には、DCFレーザに出力される信号レーザ光の一部がDCFレーザの第１クラッドに漏れ出して第１クラッド内を伝播してコア内を通過することによりレーザ媒体を誘導放出してノイズ光を発生、増幅させる問題を有している。
【０００８】
更に、DCFレーザにあっては、１m当り、０．５〜１．５dBの増幅利得を得ているが、DCFレーザとしては１５dB程度の増幅利得が要求される。この増幅利得を得るには、DCFレーザの長さを１０〜３０mにする必要があるが、DCFレーザを長尺とした場合には、更にノイズ光が発生する恐れが高くなり、高品質なレーザ光を出力させることができない問題を有している。
【特許文献１】特開２００４−２８６７７９号公報
【発明の開示】
【発明が解決しようとする課題】
【０００９】
解決しようとする問題点は、DCFレーザのコア内でレーザ媒質が励起される際に、レーザ光と共にノイズ光も自然放出されて増幅されることにより高品質のレーザ光を出力することができない点にある。また、DCFレーザのコア開口数に比べて信号レーザ光出力用のファイバーレーザの開口数が大きいため、DCFレーザに出力される信号レーザ光の一部がDCFレーザの第１クラッドに漏出してノイズ光を発生させる点にある。更に、所望の増幅利得を得るには、DCFレーザを長くする必要があるが、その場合には、レーザ媒質から自然放出されるノイズ光が多くなって高品質なレーザ光を出力できない点にある。
【課題を解決するための手段】
【００１０】
本発明の請求項１は、レーザ媒質がドープされたコアの外周に、該コアより光屈折率が低い第１クラッド及び第１クラッドの外周に、該第１クラッドより光屈折率が低い第２クラッドをそれぞれ被覆したDCFと、該DCFの入射端に光結合され、第１クラッドに所要波長の励起レーザ光を出力する励起光出力手段と、DCFの入射側コアに形成され、励起光により励起されたレーザ媒質から誘導放出された特定波長の出力レーザ光を反射する第１反射手段及び出力側コアに形成され、レーザ媒質から励起されて増幅されたレーザ光を半透過する第２反射手段と、DCFにおける第１クラッドの適宜箇所に形成され、励起レーザ光のみを透過すると共に励起レーザ光以外の波長のノイズ光を第２クラッド側に対する臨界角以上の角度で反射する反射フィルター手段とからなることを特徴とする。
【００１１】
請求項２は、レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーと、該ダブルクラッドファイバーの入射端に光結合され、第１クラッドに所要波長の励起レーザ光を出力する励起光出力手段と、ダブルクラッドファイバーの入射側コアに形成され、励起レーザ光により励起されたレーザ媒質から誘導放出されて増幅された特定波長の出力レーザ光を反射する第１反射手段及び出力側コアに形成され、出力レーザ光を半透過する第２反射手段と、ダブルクラッドファイバーにおける第１クラッドの入射側及び出力側にそれぞれ光結合され、ダブルクラッドファイバーの第１クラッド内を伝播する励起レーザ光を循環伝播させる循環用光ファイバーとを設けたことを特徴とする。
【００１２】
請求項３は、レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバー、該ダブルクラッドファイバーの入射端に光結合され、第１クラッドに所要波長の励起レーザ光を出力する励起光出力手段、ダブルクラッドファイバーの入射側コアに形成され、励起レーザ光により励起されたレーザ媒質から誘導放出される特定波長の出力レーザ光を反射する第１反射手段及び出力側コアに形成され、出力レーザ光を半透過する第２反射手段、ダブルクラッドファイバーにおける第１クラッドの適宜箇所に形成され、励起レーザ光のみを透過すると共に励起レーザ光以外の波長のノイズ光を第２クラッドに対する臨界角以上の角度で反射する反射フィルター手段からなるレーザ光増幅手段と、ダブルクラッドファイバーの入射端に光結合され、ダブルクラッドファイバーのコア開口数より小さい開口数からなるコアを有したシングルクラッドファイバー、シングルクラッドファイバーの入射端に光結合されてコアに信号励起用レーザ光を出力するレーザ光発振部材からなる信号光発振手段と、ダブルクラッドファイバーにおける第１クラッドの入射側及び出力側にそれぞれ光結合され、ダブルクラッドファイバーの第１クラッド内を伝播する励起レーザ光を循環伝播させる循環用光ファイバーとからなることを特徴とする。
【００１３】
請求項６は、レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーの第１クラッド内を反射しながら伝播する励起レーザ光によりレーザ媒質を励起して誘導放出される出力レーザ光を出力するダブルクラッドファイバーレーザからなるレーザ光出力装置において、ダブルクラッドファイバーの第１クラッドに設けられた反射フィルターにより励起レーザ光のみを透過して他の波長のノイズ光を第２クラッドに対する臨界角以上の角度で反射して除去することを特徴とする。
【００１４】
請求項７は、レーザ媒質がドープされたコアの外周に、該コアより光屈折率が低い第１クラッド及び第１クラッドの外周に、該第１クラッドより光屈折率が低い第２クラッドをそれぞれ被覆したダブルクラッドファイバーの第１クラッド内を反射しながら伝播する励起レーザ光によりレーザ媒質を励起して誘導放出される出力レーザ光を出力するダブルクラッドファイバーレーザからなるレーザ光出力装置において、ダブルクラッドファイバーの励起レーザ光の入射側及び出力レーザ光の出力側にそれぞれ光結合された循環光ファイバーにより第１クラッドに入射された励起レーザ光を循環伝播させると共にダブルクラッドファイバーの第１クラッド及び循環光ファイバーのコアの少なくともいずれかに設けられた反射フィルターにより励起レーザ光のみを透過して他の波長のノイズ光をクラッドに対する臨界角以上の角度で反射して除去することを特徴とする。
【発明の効果】
【００１５】
本発明は、DCFレーザのコア内においてレーザ媒質が励起される際に自然放出されるノイズ光を除去して高品質のレーザ光を出力することができる。また、DCFレーザに光結合される信号レーザ光出力用のファイバーレーザから信号レーザ光が第１クラッドに漏出するのを少なくしてノイズ発生を低減することができる。更に、短い長さのDCFレーザを使用して所望の増幅利得を得ることができると共にノイズ光の発生を低減して高品質なレーザ光を出力することができる。
【発明を実施するための最良の形態】
【００１６】
本発明は、DCFにおける第１クラッドの適宜箇所に、励起レーザ光のみを透過すると共に励起レーザ光以外の波長のノイズ光を第２クラッドに対する臨界角以上の角度で反射する反射フィルター手段を設けることを最良の形態とする。
【実施例１】
【００１７】
以下に実施形態を示す図に従って本発明を説明する。
図１及び図２において、レーザ光出力装置１は、例えばEr、Yb、Nd、Bi、Pr等の希土類のレーザ媒質がドープされたコア３ａの外周に、該コア３ａより光屈折率が低い第１クラッド３ｂ及び該第１クラッド３ｂの外周に、第１クラッド３ｂより光屈折率が低い第２クラッド３ｃをそれぞれポンピングガイドとしてそれぞれ被覆したDCF３を使用したDCFレーザとして構成される。
【００１８】
尚、第２クラッド３ｃの外周には、合成樹脂カバー等の保護層を被覆形成してもよい。また、DCF３のコア３ａは、レーザ媒質の励起光率を高めるために、多角形状、異形断面形状としてもよい。更に、DCF３は、所望の増幅利得を得るには、長くする必要があるが、狭小スペースで所要の長さを得るためにコイル状に巻回すればよい。
【００１９】
DCF３の入射端には、励起光出力手段５が光結合部材７を介して光結合されている。励起光出力手段５は、コア３ａ内にドープされたレーザ媒質を励起する所要波長のレーザ光を発振する励起用LD９ａ・９ｂと、一端が各LD９ａ・９ｂにそれぞれ光結合されると共に他端が第１クラッド３ｂにそれぞれ光結合される通常の光ファイバー１１ａ・１１ｂとにより構成される。尚、励起用LD９ａ・９ｂは、必要に応じて１個又は２個以上としてもよく、より多く必要とする場合には、出力端より励起レーザ光を入れてもよい。
【００２０】
上記DCF３におけるコア３ａの入力側及び出力側には、第１及び第２反射手段を構成するFBG１３ａ・１３ｂが形成されている。FBG１３ａ・１３ｂは、紫外光を使用してコア３ａ内に屈折率変化分布を作ってグレーティングすることにより形成される。
【００２１】
その内、コア３ａの入射側に位置するFBG１３ａは、光ファイバー１１ａ・１１ｂからの励起レーザ光を透過させると共にコア３ａ内の励起されたレーザ媒質から誘導放出される特定波長のレーザ光を全反射するように屈折率変化分布が形成される。また、コア３ａの出力側に位置するFBG１３ｂは、コア３ａ内で誘導放出により増幅された特定波長のレーザ光の一部を出力レーザ光として透過する半透過機能を有するように屈折率変化分布が形成される。これによりコア３ａ内のレーザ媒質から励起されたレーザ光をFBG１３ａ・１３ｂ間で共振させて高準位化したレーザ媒質から特定波長のレーザ光を誘導放出させることにより増幅させる。
【００２２】
また、第１クラッド３ｂには、反射フィルター手段を構成する複数のFBG１５が、長手方向の適宜箇所に形成される。該FBG１５は、上記したFBG１３ａ・１３ｂと同様に、光ファイバー１１ａ・１１ｂから出力された励起レーザ光を透過する一方、それ以外の波長の光で、コア３ａ内のレーザ媒質の励起に伴って自然放出されるノイズ光を第２クラッド３ｃに対する臨界角以上の角度で反射するように屈折率変化分布が形成される。
【００２３】
尚、DCF３の出力端には増幅された特定波長の出力レーザ光をワーク上に出力するための光ファイバー、コリメートレンズ、光レンズ、全反射レンズ、出力ミラー等の光回路１７が接続されている。
【００２４】
次に、上記のように構成されたレーザ光出力装置１による出力レーザ光の出力作用及びノイズ光除去方法を説明する。
励起用LD９ａ・９ｂを連続発振して励起レーザ光をDCF３の第２クラッド３ｂ内に出力すると、第１クラッド３ｂ内に入力された励起レーザ光が、第２クラッド３ｃとの境界で全反射しながらDCF３の長手方向へ伝播される。その際に、第１クラッド３ｂ内を反射して伝播する励起レーザ光がコア３ａ内を通過することによりレーザ媒質を励起し、励起レーザ光と異なる発振波長の光を自然放出させる。そして自然放出光の一部がコア３ａ内のFBG１３ａ・１３ｂ間において反射を繰返して共振することによりレーザ媒質から特定波長のレーザ光を誘導放出させることによりレーザ光を増幅させる。そして増幅された特定波長のレーザ光の一部は、FBG１３ｂを透過して光回路１７に出力レーザ光として出力される。
【００２５】
励起したレーザ媒質から自然放出される光は、コア３ａ内を伝播する以外はノイズ光で、このノイズ光が第１クラッド３ｂ内を伝播してコア３ａ内を通過する際に、励起したレーザ媒質から更にノイズ光を誘導放出させることによりノイズ光が増幅されることになる。本例においては、第１クラッド３ｂ内にてノイズ光が伝播される際に、第１クラッド３ｂ内に形成されたFBG１５によりノイズ光を第２クラッド３ｃに対する臨界角以上の角度で反射して第１クラッド３ｂ内から除去してコア３ａ内を通過しないようにさせる。これによりノイズ光が更に増幅されるのを回避し、光回路１７に対して質のよいレーザ光を出力すると共にノイズ光により出力レーザ光の出力が減衰するのを回避することができる。
【実施例２】
【００２６】
図４において、本例のレーザ光出力装置４１は、DCF３の入力側及び出力側に循環光ファイバー４３を光結合した構成である。具体的には、循環光ファイバー４３は、コア４３ａの外周にポンピングガイドとしてのクラッド４３ｂを被覆した通常の光ファイバーにより構成され、その一方端部のコア４３ａがDCF３の第１クラッド３ｂ入射側に光結合部材７を介して、また他端部のコア４３ａがFBG１３ｂより出力側のDCF３の第１クラッド３ｂに光結合部材４５を介してそれぞれ光結合されている。
【００２７】
循環光ファイバー４３のコア４３ａには反射フィルター部材を構成する複数のFBG４７が長手方向の適宜箇所に形成される。これらFBG４７は、上記したFBG１３ａ・１３ｂ、２５と同様に、励起光出力手段５から出力された励起光を透過させる一方、それ以外の波長のノイズ光をクラッド４３ｂに対する臨界角以上の角度で反射するように屈折率変化分布が形成される。
【００２８】
また、DCF３の入射側に位置するコア３ａには、信号レーザ光発振手段４９が光結合部材７を介して光結合されている。該信号レーザ光発振手段４９は、信号レーザ光をパルス発振する信号用LD５１と、信号用LD５１から出力される信号レーザ光をDCF３のコア３ａ内に伝播させる光ファイバー５３とから構成される。
【００２９】
尚、他の構成に付いては、実施例１と同様であるため、同一の符号を付してその詳細な説明を省略する。
次に、上記のように構成されたレーザ光出力装置４１のレーザ光出力作用及びノイズ光除去方法を説明する。
【００３０】
実施例１と同様に励起光出力手段５からDCF３の第１クラッド３ｂに励起レーザ光が出力されると、第１クラッド３ｂ内にて励起レーザ光を反射させながら伝播してコア３ａ内を通過させることによりレーザ媒質を励起して励起レーザ光と異なる発振波長の光を自然放出させる。そして自然放出光の一部がコア３ａ内のFBG１３ａ・１３ｂ間において反射を繰返して共振することによりレーザ媒質から特定波長のレーザ光を誘導放出させることによりレーザ光を増幅させる。
【００３１】
その際、第１クラッド３ｂ内を伝播する励起レーザ光は、循環光ファイバー４３のコア４３ａ内を伝播して第１クラッド３ｂの入力側に戻って循環し、コア３ａ内のレーザ媒質を効率的に励起させることができる。このため、励起レーザ光の循環作用は、励起レーザ光がコア３ａ内のレーザ媒質に吸収されてなくなるまで継続されるため、DCF３の長さを短くしても、レーザ媒質を効率的に励起することができる。
【００３２】
また、コア３ａに対する励起レーザ光の通過に伴って励起されたレーザ媒質からノイズ光も自然放出されて第１クラッド３ｂ内を伝播することになるが、第１クラッド３ｂ内を伝播するノイズ光は、励起レーザ光と共に循環光ファイバー４３により第１クラッド３ｂ内にて循環し、コア３ａ内を通過する際に励起したレーザ媒質からノイズ光が誘導放出されることによりノイズ光が増幅されることになる。
【００３３】
本例においては、ノイズ光が循環光ファイバー４３内を伝播する際に、FBG４７によりノイズ光をクラッド４３ｂに対する臨界角以上の角度で反射して除去することによりレーザ媒質から誘導放出されるレーザ光中におけるノイズ光の割合を少なくして高品質化することができる（図５参照）。
そして信号レーザ光発振手段４９からパルス発振された信号レーザ光がコア３ａ内に出力されると、レーザ媒質からレーザ光を誘導放出して一気にレーザ遷移させてレーザ光として出力させる。
【００３４】
本実施例は、DCF３の第１クラッド３ｂ内にて伝播する励起レーザ光を、循環光ファイバー４３により循環させることによりレーザ媒質を効率的に励起することができる。これにより短い長さのDCF３を使用してレーザ媒質を効率的に励起して特定波長のレーザ光を出力レーザ光として出力することができ、装置自体を小型化することができる。また、循環光ファイバー４３により第１クラッド３ｂ内を励起レーザ光と共に伝播するノイズ光をFBG４７により除去することができ、ノイズ光に影響されない高品質な出力レーザ光を得ることができる。
【図面の簡単な説明】
【００３５】
【図１】レーザ光出力装置の概略を示す説明図である。
【図２】DCFの第１クラッドにFBGを形成した状態を示す説明図である。
【図３】FBGによるノイズ光の除去状態を示す説明図である。
【図４】実施例２に係るレーザ光出力装置の概略を示す説明図である。
【図５】循環光ファイバーを伝播するノイズ光の除去状態を示す説明図である。
【符号の説明】
【００３６】
１  レーザ光出力装置
３  DCF
３ａ  コア
３ｂ  第１クラッド
３ｃ  第２クラッド
５  励起光出力手段
９ａ・９ｂ  励起用LD
１１ａ・１１ｂ  光ファイバー
１３ａ・１３ｂ  第１及び第２反射手段を構成するFBG
１５  反射フィルター手段を構成するFBG
４１  レーザ光出力装置
４３  循環光ファイバー
４３ａ  コア
４３ｂ  クラッド
４７  反射フィルター手段を構成するFBG
【図１】
2007281162.tif 000003
【図２】
2007281162.tif 000004
【図３】
2007281162.tif 000005
【図４】
2007281162.tif 000006
【図５】
2007281162.tif 000007